(57)【要約】【課題】パチンコ機の下皿から落下するパチンコ玉を受けて隣接する玉計数手段へと導く案内ユニットの迅速な着脱と装着時の安定性の向上を目的とする。【解決手段】案内ユニット１０の玉受皿１１の下方部とパチンコ島の膳板３との間に、案内ユニット１０を膳板３の長手方向にスライドさせることによって係合して膳板３の幅方向への移動が拘束されるように形成した第１係合手段２０を設ける。また、案内ユニット１０に備えた玉流路１２の下流端部１３と玉計数手段５との間には、下流端部１３を上方から下方に押し下げることによって係合して下流端部１３の水平方向への移動が拘束されるように形成した第２係合手段３０を設け、さらに第２係合手段３０が係合状態にあるときの施錠手段として錠３１を設ける。【選択図】図５
2010166987.tif 000002
【特許請求の範囲】
【請求項１】
パチンコ機の下皿から落下するパチンコ玉を受け入れる玉受皿と、前記玉受皿が受け入れたパチンコ玉を前記パチンコ機に隣接させて設置した玉計数手段へと流下させる玉流路とを備えたパチンコ玉の案内ユニットにおいて、
前記玉受皿の下部と、パチンコ機と玉計数手段との並列によって形成されるパチンコ島の膳板との間に、前記案内ユニットを前記膳板の長手方向にスライドさせることによって係合して前記膳板の幅方向への前記案内ユニットの移動が拘束されるように形成した第１係合手段と、
前記玉流路の下流端部と前記玉計数手段との間に、前記玉流路の下流端部を前記玉計数手段と連結させることによって前記玉計数手段からの前記下流端部の水平方向への移動が拘束されるように形成した第２係合手段と、
前記第２係合手段が係合状態にあるときに施錠する施錠手段と、
を備えたことを特徴とするパチンコ玉の案内ユニット。
【請求項２】
前記第１係合手段は、前記玉受皿の下部に高さ調整可能に垂設されて接地部に鍔を備えた調整ボルトと、前記膳板に固着されて前記調整ボルトの鍔を両側から抱え込むように配設された２つのガイド溝とによって構成されるとともに、
前記ガイド溝の一方は、前記膳板の長手方向に沿って前記膳板の奥側に設けられ、前記ガイド溝の他方は、前記膳板の奥側に設けたガイド溝との間隔が、係合時の案内ユニットのスライド方向に次第に狭まるように前記膳板の手前側に設けられることを特徴とする請求項１に記載のパチンコ玉の案内ユニット。
【請求項３】
前記調整ボルトの鍔と前記ガイド溝とは、前記第２係合手段における係合動作が可能な範囲で前記玉流路の下流端部を上下させることができるだけのクリアランスを有していることを特徴とする請求項２に記載のパチンコ玉の案内ユニット。
【請求項４】
前記２つのガイド溝は１枚の板状体と一体に形成され、前記板状体は両面粘着シートによって前記膳板に貼着されることを特徴とする請求項２または請求項３に記載のパチンコ玉の案内ユニット。
【請求項５】
前記第２係合手段は、前記玉流路の下流端部のパチンコ玉の流下方向と交わる面または前記玉計数手段の前面の上下２ヶ所に水平に架設された係合軸と、前記係合軸に対向して対面に配設され、前記玉流路の下流端部を上方から下方へと押し下げたときに前記係合軸を嵌入させるように形成された係合凹部とによって構成されるとともに、
前記膳板の長手方向への前記玉流路の下流端部の移動を拘束する嵌合部材が前記玉流路の下流端部と前記玉計数手段との間に形成されていることを特徴とする請求項１に記載のパチンコ玉の案内ユニット。
【発明の詳細な説明】
【技術分野】
【０００１】
本発明は、パチンコ機の下皿から落下するパチンコ玉を受け入れて、このパチンコ機に隣接して設けられた例えば玉貸機内の玉計数手段へとパチンコ玉を導く案内ユニットに関する。
【背景技術】
【０００２】
パチンコ店において遊技客がゲームを行って獲得したパチンコ玉を計数する方法として、パチンコ島の島端や店内カウンターなどに設置した玉計数機にパチンコ玉を投入して計数するという方法が広く知られている。これに対して最近では、遊技客に対するサービスの一環として、パチンコ機ごとに玉計数手段を設けて居ながらにして計数を行うことができる遊技設備が普及してきた。このような各台計数という考え方は結構古くからあり、その関連技術についても数多くの提案がなされている。
【０００３】
例えば、特許文献１に記載されたパチンコ玉の計数装置は、本発明の案内ユニットに相当する製品に玉計数センサを組み込んで、計数装置と称して提供するものである。玉計数センサは、この計数装置内に傾斜して形成した整列レールの下流部に配設されており、整列レールを流下して計数を終えたパチンコ玉は、パチンコ機に隣設させた玉貸機内に設けた計数玉排出路を通じて玉貸機の後背部より排出され、パチンコ島に回収される。この計数装置は、下流端部においてヒンジを介して玉貸機と連結され、パチンコ機の入替えの際には、計数装置の玉受皿側を手前に回動させて入替え作業の邪魔にならないように構成されている。
【０００４】
しかしながら、遊技客の身近なところに設置されるパチンコ玉の計数装置は、不正行為の標的とされやすい。特に上記に引例の計数装置の場合は、パチンコ玉に類似する球を数珠状に繋ぐなどした不正具を進入させて玉計数センサに検知させることによって、計数値を不当に増やすといった不正行為が比較的簡単に行える構造となっている。また、片持ち梁のような計数装置の取付構造は、小さな力で壊れやすいし、壊しやすい。
【０００５】
上記のような不正行為の防止を解決課題の一つとして掲げた従来技術の例として、特許文献２に記載された台間玉貸機がある。この玉貸機は、玉計数器を玉貸機の内部に収納し、玉計数器の前面を、パチンコ機の下皿から落下するパチンコ玉を玉計数器に導く玉シュート（本発明の案内ユニットに該当）によって塞いだうえ、鍵を掛けるという装着構造の採用によって、不正行為の防止を図るようにしたものである。さらに、玉計数器の内部に、進入された不正具を引き抜くことができないようにする不正具使用防止爪を設けて、不正行為をより困難にする工夫が付け加えられている。
【０００６】
図７は、特許文献２に記載された玉シュートの概要を示す正面図である。本図において玉シュート５０の玉受皿５１は、パチンコ機の下皿５２の直下に置かれるものである。そして、詳細な説明の記載はないが、図で明らかなように、玉受皿５１のさらに下方には、玉シュート５０の底部より下に向かって突出する段付きの突起５３が設けられている。一方、パチンコ島の膳板５４には、突起５３に対向する位置に板金製の台座５５が固定されており、この台座５５の上面に穿設された穴に突起５３が上方から差し込まれることによって、玉受皿５１の側が支持される構成となっている。一方、パチンコ玉の流下先となる下流端部５６には、錠５７の回動によって玉貸機５８に収納された玉計数器５９の前面への下流端部５６の着脱が自在となるように形成された着脱機構６０が備えられており、錠５７を施錠することによって、玉シュート５０の装着が終了するようになっている。なお、玉受皿５１の上縁には、下皿５２から落下するパチンコ玉の跳び出しを防止する縁取り６１が、上方に向けて設けられている。
【先行技術文献】
【特許文献】
【０００７】
【特許文献１】特開平７−１８５１２２号公報（図１、図２）
【特許文献２】特開平１０−２４９０４７号公報
【発明の概要】
【発明が解決しようとする課題】
【０００８】
特許文献２に記載された玉シュートをパチンコ島に装着するには、まず、パチンコ機の下皿とパチンコ島の膳板との間に玉シュートの玉受皿側を緩挿させ、上から下ろしながら玉シュート底部の突起を膳板に固定した台座の穴に嵌挿させるという作業が必要となる。しかしながら、パチンコ玉の跳び出し防止用に設けた縁取りの高さが、パチンコ機の下皿の底部に近い高さに設定されるために、上下に動かせるだけの余裕が小さく、かつ突起の係合相手となる穴の位置が見にくいところでの作業となるから、作業に手間取るという問題がある。対象となるパチンコ機の数が多いときは、累積される損失時間の大きさは馬鹿にならない。本発明は、このような問題の解決を図るとともに、案内ユニットの下流端部の取付状態についても従来以上に安定かつ強固な取り付けが行われるようにすることで、作業性や防犯性に優れた案内ユニットを提供することを目的とするものである。
【課題を解決するための手段】
【０００９】
本発明のパチンコ玉の案内ユニットは、上記の如き課題に鑑みなされたもので、パチンコ機の下皿から落下するパチンコ玉を受け入れる玉受皿と、前記玉受皿が受け入れたパチンコ玉を前記パチンコ機に隣接させて設置した玉計数手段へと流下させる玉流路とを備えたパチンコ玉の案内ユニットにおいて、前記玉受皿の下部と、パチンコ機と玉計数手段との並列によって形成されるパチンコ島の膳板との間に、前記案内ユニットを前記膳板の長手方向にスライドさせることによって係合して前記膳板の幅方向への前記案内ユニットの移動が拘束されるように形成した第１係合手段と、前記玉流路の下流端部と前記玉計数手段との間に、前記玉流路の下流端部を前記玉計数手段と連結させることによって前記玉計数手段からの前記下流端部の水平方向への移動が拘束されるように形成した第２係合手段と、前記第２係合手段が係合状態にあるときに施錠する施錠手段と、を備えたことを特徴とする。
【００１０】
このように構成されたパチンコ玉の案内ユニットを装着する際の作業手順としては、まず案内ユニットをパチンコ島の膳板の長手方向にスライドさせる動作によって、第１係合手段において案内ユニットの玉受皿の位置が決定される。次に第２係合手段において玉流路の下流端部と玉計数手段とを係合させることによって案内ユニット全体の位置が決定され、最後に施錠することにより案内ユニットが安定かつ強固に固定されたこととなる。これにより、不正やいたずらなどによる案内ユニットの勝手な取り外しができなくなる。したがって、例えば玉貸機内に収納されてその筐体によって保護されている玉計数手段に対する不正な行為を困難にする。また、パチンコ機の下皿の下方に設置される玉受皿は、スライドによる設置動作なので、膳板との間の狭いスペースでも迅速に作業することができる。
【００１１】
また、前記第１係合手段は、前記玉受皿の下部に高さ調整可能に垂設されて接地部に鍔を備えた調整ボルトと、前記膳板に固着されて前記調整ボルトの鍔を両側から抱え込むように配設された２つのガイド溝とによって構成されるとともに、前記ガイド溝の一方は、前記膳板の長手方向に沿って前記膳板の奥側に設けられ、前記ガイド溝の他方は、前記膳板の奥側に設けたガイド溝との間隔が、係合時の案内ユニットのスライド方向に次第に狭まるように前記膳板の手前側に設けられることを特徴とする。
【００１２】
このような構成により、膳板の奥側と手前側との間に設けられる段差の大きさに違いがあっても、調整ボルトによる高さ調整によって、案内ユニットを水平に設置することができる。また、２つのガイド溝に調整ボルトの鍔を係合させるときに、２つのガイド溝の間口が調整ボルトの鍔のスライド動作の開始側で広くなるように形成されているので、膳板の長手方向に沿って設けた奥側のガイド溝に調整ボルトの鍔を当接させながらスライドさせるだけで、調整ボルトの鍔と２つのガイド溝とを容易に係合させることができる。
【００１３】
また、前記調整ボルトの鍔と前記ガイド溝とは、前記第２係合手段における係合動作が可能な範囲で前記玉流路の下流端部を上下させることができるだけのクリアランスを有していることを特徴とする。このような構成により、玉受皿側の狭い設置スペースの有効利用を損なうことなく、第２係合手段における係合作業を可能とする。
【００１４】
また、前記２つのガイド溝は１枚の板状体と一体に形成され、前記板状体は両面粘着シートによって前記膳板に貼着されることを特徴とする。このような構成により、膳板に穴を開けるなどの追加工を施す必要がなく、パチンコ機の設置の際や機種の入替えの際の作業性を向上させることができる。また、膳板は、無傷の状態のまま繰り返し使用することができるようになる。なお、両面粘着シートによる板状体の貼着が強度的に問題ないことは、実機にて確認できている。
【００１５】
また、前記第２係合手段は、前記玉流路の下流端部のパチンコ玉の流下方向と交わる面または前記玉計数手段の前面の上下２ヶ所に水平に架設された係合軸と、前記係合軸に対向して対面に配設され、前記玉流路の下流端部を上方から下方へと押し下げたときに前記係合軸を嵌入させるように形成された係合凹部とによって構成されるとともに、前記膳板の長手方向への前記玉流路の下流端部の移動を拘束する嵌合部材が前記玉流路の下流端部と前記玉計数手段との間に形成されていることを特徴とする。
【００１６】
このような構成のうち、係合軸と係合凹部との係合については、膳板の幅方向に玉流路の下流端部が移動するのを拘束するとともに、係合箇所を上下の位置に２ヶ所設けたことで、強固で安定した係合状態を作り出す。また、嵌合部材による嵌合に関しては、膳板の長手方向への移動が拘束されるので、前記係合軸と係合凹部との係合関係と相まって、案内ユニットの水平方向への全ての移動が拘束されることとなる。さらに施錠が加わることによって案内ユニットの上方への移動が拘束されるので、案内ユニットが完全に固定されたこととなる。
【発明の効果】
【００１７】
本発明のパチンコ玉の案内ユニットは、第１係合手段における着脱作業の容易さ、第１係合手段および第２係合手段によって係合したあとの装着状態の安定性の高さと強固さ、そして最後に鍵を掛けて装着が終了したあとの不正防止効果などに優れる。また、膳板を追加工することがないので、無傷の状態のまま繰り返し使用することができる。膳板の段差の違いには調整ボルトにて対応することができるから、少ない部品点数で対応でき、その分コストダウンできる。なお、案内ユニットを取り外して代わりに下皿からドル箱にパチンコ玉を移すこともできるので、玉計数手段の故障などの際には、玉計数機能のない状態のままパチンコ機を継続して使用することが可能であるから、店の稼働率を下げることがない。
【図面の簡単な説明】
【００１８】
【図１】本発明の案内ユニットが装着されたパチンコ島の一部を示す斜視図である。
【図２】本発明の案内ユニットの（ａ）は平面図，（ｂ）は正面図，（ｃ）は（ｂ）のＡ−Ａ線に沿った断面図である。
【図３】第１係合手段における係合前後の状態を説明する斜視図である。
【図４】第１係合手段の係合状態を示す右側面図である。
【図５】本発明の案内ユニットと玉計数手段との関係を示す平面図である。
【図６】第２係合手段を示す斜視図であって、（ａ）は玉計数手段の一部、（ｂ）は案内ユニットの一部を示すものである。
【図７】従来例を示す正面図である。
【発明を実施するための形態】
【００１９】
次に、本発明の実施形態について、図を参照しながら説明する。図１は、パチンコ機１とその正面左隣りに隣接して設けられた玉貸機２とを対として横一列に並べて形成したパチンコ島の斜視図であって、さらにそのパチンコ島の膳板３より上の一部分を示したものである。本図に示すように、膳板３は、一般的に、パチンコ機や玉貸機を載置する奥側が高く、手前側が低い段差を有して形成されている。手前側を低くする理由の一つは、ドル箱を置くスペースの確保にあるが、段差の大きさは、パチンコ島の製造業者によって統一されていないのが現状である。
【００２０】
パチンコ機１の前面下部には下皿４が設けられ、さらに下方の下皿４と膳板３との間のスペースには、本発明のパチンコ玉の案内ユニット１０が装着されている。案内ユニット１０は、下皿４の直下に配設されて下皿４から落下するパチンコ玉を受け入れる玉受皿１１と、玉受皿１１が受け入れたパチンコ玉を玉貸機２に収納されている玉計数手段５（図５参照）へと下り傾斜を利用して流下させる玉流路１２（図２参照）とを備えている。この案内ユニット１０は、パチンコ玉の流下先となる下流端部１３において玉計数手段５に連結されている。遊技客がゲームを行った結果として下皿４に貯まったパチンコ玉は、下皿４に設けた排出レバー６をスライドさせることによって下皿４の底面に設けたシャッター７が開き、現れた開口を通じて玉受皿１１に落下する。玉受皿１１に落下したパチンコ玉は、玉流路１２を２列に整列しつつ流下し、下流端部１３より玉計数手段５に向けて送り出される。
【００２１】
玉計数手段５の内部構造については特に図示しないが、２列に整列して通過するパチンコ玉をそれぞれ検知して計数する計数センサが、玉通路の一端に配設されたものである。計数センサには、遮光型や反射型のフォトセンサのほか、パチンコ玉が通過する際にコイルに生じるインダクタンスの変化を電気的に検知して計数する近接センサなどが使用される。そして、計数センサにて計数を終えたパチンコ玉は、玉計数手段５の後面の排出口８からパチンコ島の内部に排出されて回収されるようになっている。このような計数センサに対して、球を数珠繋ぎにした不正具を侵入させて計数センサに計数させた後、不正具を引き抜こうとしても抜き出せなくする不正具防止爪が、玉通路の上流に設置されている。この不正具防止爪は振り子式であって、パチンコ玉の流下方向には揺動してパチンコ玉を通過させるが、反対方向には揺動できないようにしてパチンコ玉の逆行を阻止する構成のものである。
【００２２】
玉計数手段５には、玉通路を塞いでパチンコ玉が通過できないようにする図示しないシャッター装置が、玉通路の入口付近に開閉自在に設けられている。このシャッター装置はソレノイドによって作動するもので、平常時はソレノイドがシャッターを持ち上げて玉通路を開放している。そして、停電などの異常時にはソレノイドが作動しなくなることでシャッターが降下し、玉通路を塞ぐようになっている。玉計数手段５へのパチンコ玉の流入が阻止されるから、遊技客が損をするような計数が行われなくて済む。
【００２３】
図２に示すように、案内ユニット１０の玉流路１２は、玉受皿１１の皿底の一側から案内ユニット５の長手方向に延伸して設けられる。この玉流路１２は、立設させた板状体の上縁を下り傾斜に形成してパチンコ玉Ｐが流下する案内レールとしての役目をもたせた縦板１２ａと、縦板１２ａを支持する横板１２ｂとによって、平面視格子状に形成されたものである。そして、縦板１２ａと横板１２ｂとの間に出現するスリット状の隙間から、パチンコ玉Ｐに付着したり流れに混入したりするゴミが篩い落とされる。このような案内レールは、計数効率を上げるために２本設定され、下流側に立設した玉分離板１４によって、パチンコ玉Ｐが２列に分かれて整列しながら流下するようになっている。また、案内ユニット１０の下流端部１３には、玉流路１２の上方に、高さ規制ピン１５が流下方向と直交する向きに架け渡されて、パチンコ玉Ｐが上下２段に重なり合うことを阻止している。
【００２４】
玉受皿１１の上縁には、玉受皿１１の上方を取り囲むように縁取り１６が設けられている。この縁取り１６は、パチンコ機１の下皿４から落下するパチンコ玉が外に跳び出さないように設けられるもので、例えばゴムシートが使われる。このゴムシートは、パチンコ玉の落下を直接受け止める玉受皿１１の底面にも、緩衝材として敷設するとよい。なお、玉受皿１１の底面は、玉流路１２に向かう僅かな下り斜面となっている。
【００２５】
玉受皿１１の下方には、第１係合手段２０の片方を構成する調整ボルト２１が設けられている。この調整ボルト２１は、案内ユニット１０の底部に設けた凹部１７に、接地部となる鍔２２を下にして垂直に螺合されたものである。調整ボルト２１を回転させることによって、案内ユニット１０の膳板３に対する取付高さを膳板３の段差の大きさに合わせて調整することができる。高さ調整後にナット２３を締め付けることによって、調整ボルト２１の突出量が固定される。この案内ユニット１０の高さ調整は、第１係合手段２０で係合作業を行う前に行うようにする。そして、係合がなされた状態ではナット２３が凹部１７の中に沈み込んで隠れるので（図２（ｂ）、図４参照）、外部からの無用な操作ができなくなる。
【００２６】
玉流路１２は、案内ユニット１０の下流端部１３において流下方向右９０度に方向転換し、後述する第２係合手段３０による係合によって、玉計数手段５の玉通路と連通する。また、下流端部１３は、錠３１を備えている。施錠手段は、錠３１に鍵を差し込んで反時計回りに旋回させることにより、下流端部１３に格納されていた係止片３２が、係合相手となる玉計数手段５の側に突出するように構成されたものである。
【００２７】
図３は、案内ユニット１０の下部に設けられた第１係合手段２０における係合の仕組みを説明するための斜視図であって、本図において、膳板３の右手側がパチンコ島の正面となる。そして、第１係合手段２０の片方を構成する調整ボルト２１の係合相手として、調整ボルト２１の鍔２２を両側から抱え込むように形成した２つのガイド溝２４ａ，２４ｂが、膳板３に固定されている。このうち、ガイド溝２４ａは、膳板３の正面から見て奥側に、膳板３の長手方向に沿って配設される。また、ガイド溝２４ｂは、膳板３の手前側に配設される。さらに、本実施形態においてガイド溝２４ｂは、ガイド溝２４ａとガイド溝２４ｂとの間隔が本図の左側では調整ボルト２１の鍔２２の直径より広く、本図の右側では鍔２２の直径より狭くなるように、斜めに配設されている。
【００２８】
これらのガイド溝２４ａ，２４ｂは、板状体の一例として、板金製のガイド板２４の両側部を大略断面コ字状に折り曲げて形成したものであるが、樹脂材料などで形成することもできる。このガイド板２４は、両面粘着シートによって膳板３に貼着されている。そして、第１係合手段２０による係合は、図３（ａ）に示す状態から、調整ボルト２１をスライドさせて図３（ｂ）に示す状態とすることによって行われる。このとき、ガイド溝２４ａとガイド溝２４ｂとの間隔が、広口から次第に狭まるように形成されているので、スライドの開始時は、調整ボルト２１の鍔２２を容易に進入させることができ、スライドさせた先では、調整ボルト２１の鍔２２が行き過ぎて、ガイド溝２４ａとガイド溝２４ｂとの間から外れてしまうのが阻止される。
【００２９】
図４は、第１係合手段２０における係合状態を説明する図で、案内ユニット１０の右側面図である。本図に示すように、調整ボルト２１の鍔２２の厚みｈとガイド溝２４ａ，２４ｂの溝高さＨとの間は、第２係合手段３０における係合動作が可能な範囲に案内ユニット１０の下流端部１３を持ち上げることができるだけのクリアランスを有して形成されている。すなわち、溝高さＨは、厚みｈよりも僅かに大きく形成される。
【００３０】
第１係合手段２０での係合作業を手際よく行うためには、図５に示すように、第２係合手段３０における係合相手同士をぶつけ合って損傷させることがないように、案内ユニット１０の下流端部１３の側を若干図５の下方向に引き寄せた状態で、調整ボルト２１の鍔２２をガイド溝２４ａに当接させる。そして、当接させた状態のまま図の右手方向に調整ボルト２１の鍔２２をスライドさせるだけで第１係合手段２０での係合作業が終了する。
【００３１】
図６は、第２係合手段３０の構成を示す斜視図であって、玉計数手段５と案内ユニット１０とは、それぞれ別の方向から眺めた図となっている。図６（ａ）に示すように、玉貸機２に収納された玉計数手段５の前面には、四角形をなす開口３３が設けられ、その内部中央に立設した玉分離板３４が、奥行き方向に延伸している。この玉分離板３４は、案内ユニット１０に形成した玉分離板１４（図２参照）と連続的に設けられるもので、玉計数手段５の内部に２列の玉通路を形成している。なお、この玉通路も、奥に向かって下り傾斜となっている。
【００３２】
図６（ｂ）において、案内ユニット１０の下流端部１３の一側面には、玉計数手段５の開口３３に対向するように四角形をなす開口３５が設けられ、図には表れていないが、その口元に下流端部１３において流下方向を９０度方向転換した玉流路１２が臨んでいる。開口３５の両側には、開口３５の前方に向かって板状の嵌合片３６が突設されており、この嵌合片３６を玉計数手段５の開口３３の中に差し込むことによって、案内ユニット１０の長手方向の移動を拘束する嵌合部を形成している。
【００３３】
嵌合片３６の上部には、丸シャフトからなる係合軸３７ａが水平に架け渡されている。また、嵌合片３６の下縁には、上方に向かって切り欠きされた係合凹部３８ａが配設されている。一方、玉計数手段５の開口３３の内部下部には、丸シャフトからなる係合軸３７ｂが水平に架け渡されている。また、開口３３の上部には、金属板の先端を上方に折り曲げて形成した係合凹部３８ｂが、開口３３の口元に臨んで設けられている。
【００３４】
第１係合手段２０での係合作業ののちに行う第２係合手段３０での係合作業は、次の手順で行う。まず、案内ユニット１０の下流端部１３を心持ち持ち上げながら、玉計数手段５の開口３３に嵌合片３６を奥まで嵌挿させる。そののち、下流端部１３を押し下げる。これにより、係合軸３７ｂに係合凹部３８ａが上方から係合すると同時に、係合凹部３８ｂが係合軸３７ａを下方から引き寄せるかの如く支持する。
【００３５】
案内ユニット１０の開口３５の上方には、長穴３９が水平に開設されている。錠３１に差し込んだ鍵を回しての施錠操作の際には、下流端部１３の内部に格納されていた係止片３２が回動して、長穴３９より突出してくる。突出した係止片３２は、玉計数手段５の開口３３の上縁直下に留まるように形成されており、この係止片３２によって、下流端部１３の上方への移動が拘束される。
【００３６】
以上で案内ユニット１０の装着作業が全て終了したことになる。案内ユニット１０の離脱は、装着と逆の手順で行えばよい。なお、上記実施例では、玉貸機内に収納した玉計数手段について説明したが、この計数手段を玉貸機能を持たない箱体に収納し、本発明の案内ユニットをこの玉計数手段に連結させてパチンコ玉の循環装置の一部として機能させたものであってもよい。
【符号の説明】
【００３７】
１  パチンコ機
２  玉貸機
３  膳板
４  下皿
５  玉計数手段
１０  案内ユニット
１１  玉受皿
１２  玉流路
１３  下流端部
２０  第１係合手段
２１  調整ボルト
２２  鍔
２４  ガイド板
２４ａ，２４ｂ  ガイド溝
３０  第２係合手段
３１  錠（施錠手段）
３３  開口（嵌合部）
３６  嵌合片（嵌合部）
３７ａ，３７ｂ  係合軸
３８ａ，３８ｂ  係合凹部
Ｐ  パチンコ玉
【図１】
2010166987.tif 000003
【図２】
2010166987.tif 000004
【図３】
2010166987.tif 000005
【図４】
2010166987.tif 000006
【図５】
2010166987.tif 000007
【図６】
2010166987.tif 000008
【図７】
2010166987.tif 000009